(57)【特許請求の範囲】
【請求項１】
調理物を収納するグリル室と、前記グリル室底面下方に配設された加熱手段と、前記グリル室底面上に載置し前記調理物を載置するグリル皿と、前記グリル室前面を覆うグリル扉と、を備え、前記グリル皿底面の裏側及び前記グリル室底面の表側は前記グリル皿が引き出されている際に前記グリル皿と前記グリル室底面とが摺動することができる摺動面及び摺動することができない未摺動面を有し、前記グリル皿底面の裏側または前記グリル室底面の表側のいずれか一方に前記摺動面が前記未摺動面に対して突出した凸部を有し、他方に前記摺動面より奥まったところに凹部を設けて、前記グリル皿が引き出されている際には前記凸部が他方の摺動面と接することにより前記他方の摺動面と前記凸部側の前記未摺動面との隙間を設け、前記グリル皿が庫内に完全に収納される時には前記凸部が前記凹部に嵌まりこむことにより、前記隙間が摺動時に比べて狭くなるように構成されており、前記グリル室は、前記グリル室底面と分離し前記グリル室底面とは別材質で設けたグリル室底面分離部を備え、前記グリル室底面分離部が凹部を形成した加熱調理器。
【請求項２】
調理物を収納するグリル室と、前記グリル室底面下方に配設された加熱手段と、前記グリル室底面上に載置し前記調理物を載置するグリル皿と、前記グリル室前面を覆うグリル扉と、を備え、前記グリル室底面は前記グリル室の前方から後方にかけて前方が低くなるグリル室底面傾斜面を形成し、前記グリル皿底面は前記グリル室底面と同様のグリル皿底面傾斜面を備え、前記グリル皿が引き出されている際に前記グリル室底面傾斜面と前記グリル皿底面傾斜面との隙間を設け、庫内に完全に収納される時には、前記隙間が摺動時に比べて狭くなる加熱調理器。
【請求項３】
グリル皿底面の裏側に一箇所以上の摺動部材を有し、前記グリル皿が引き出されている際には前記摺動部材がグリル室底面と接することが可能となり、グリル室底面傾斜面とグリル皿底面傾斜面との隙間を設けて、庫内に完全に収納される時には、前記隙間が摺動時に比べて狭くなる請求項２に記載の加熱調理器。
【請求項４】
グリル皿は、グリル皿保持部を有し、前記グリル皿保持部は前記グリル皿とグリル扉を締結することで、前記グリル皿はグリル庫内上下方向に保持部を支点として回動自在とする請求項３に記載の加熱調理器。
【請求項５】
グリル皿の回動範囲は、前記グリル皿表面の略水平から所定の角度とする請求項４に記載の加熱調理器。
【請求項６】
グリル皿保持部は、グリル皿とグリル扉とを蝶番により保持してなる請求項５に記載の加熱調理器。
【請求項７】
凸部及び摺動部材は、グリル室底面を上方から見て前記グリル室底面下方の加熱手段より
外側に配設される請求項１または３に記載の加熱調理器。
【請求項８】
凸部及び摺動部材は、耐熱性を有する樹脂である請求項７に記載の加熱調理器。
【請求項９】
凸部及び摺動部材は、フッ素系樹脂である請求項８に記載の加熱調理器。
【請求項１０】
凸部の接触形状は曲率Ｒ１を有し、凹部は曲率Ｒ２を有し、Ｒ１＞Ｒ２の関係となる請求項１に記載の加熱調理器。
【請求項１１】
グリル室底面における凹部は、前記グリル室底面をロール成形して厚み一定において形成する請求項１に記載の加熱調理器。
【請求項１２】
グリル室底面分離部は、アルミダイキャストで構成した請求項１に記載の加熱調理器。
【請求項１３】
グリル室底面分離部は、ホーロー処理鋼板で構成した請求項１に記載の加熱調理器。
【請求項１４】
凹部よりグリル室前方にグリル底面に乗り越え凸部を設ける請求項１に記載の加熱調理器。
【発明の詳細な説明】
【技術分野】
【０００１】
本発明は、一般家庭で使用する加熱調理器に関するものである。
【背景技術】
【０００２】
従来、この種の加熱調理器は、調理室底面を加熱するヒーターを有し、調理室底面と調理物を載置する載置皿とを熱的に接続することにより、載置皿を必要十分に加熱することができ調理物に必要な熱量を与えることで食味を向上させるものである。
【０００３】
また、調理物を収納する調理室と、調理物を載置する載置皿と、調理室底面を加熱するヒーターを有し、載置皿と調理室底面が熱的に接続されるものがあった（例えば、特許文献１参照）。
【先行技術文献】
【特許文献】
【０００４】
【特許文献１】特開２０１０−２０７３７８号公報
【発明の概要】
【発明が解決しようとする課題】
【０００５】
しかしながら、従来の構成では、調理室底面に載置皿を載置することができ、底面の熱的接続させることができるものの、載置皿を出し入れする際に載置皿の底面と調理室底面が直接触れることによる摩擦によって、載置皿や調理室底面の表面が傷つき耐磨耗性が低下するという課題を有するとともに、載置皿の摺動時には耳障りな摩擦音が発生するという課題を有していた。
【０００６】
本発明は、前記従来の課題を解決するもので、載置皿を出し入れする際には、載置皿底面と調理室底面に隙間を設けて、載置皿を完全に収納した際には、載置皿底面と調理室底面の隙間を狭くするあるいは接触させるものである。これによって、出し入れの際には底面同士の摩擦音を発生させることがなく、かつ底面の表面の傷つきも発生させない。なお
かつ、完全に収納した際には、従来通り調理室底面からの熱的接続により、加熱効率を高く保つことができる加熱調理器を提供することを目的とする。
【課題を解決するための手段】
【０００７】
前記従来の課題を解決するために、調理物を収納するグリル室と、前記グリル室底面下方に配設された加熱手段と、前記グリル室底面上に載置し前記調理物を載置するグリル皿と、前記グリル室前面を覆うグリル扉と、を備え、前記グリル皿底面の裏側及び前記グリル室底面の表側は前記グリル皿が引き出されている際に前記グリル皿と前記グリル室底面とが摺動することができる摺動面及び摺動することができない未摺動面を有し、前記グリル皿底面の裏側または前記グリル室底面の表側のいずれか一方に前記摺動面が前記未摺動面に対して突出した凸部を有し、他方に前記摺動面より奥まったところに凹部を設けて、前記グリル皿が引き出されている際には前記凸部が他方の摺動面と接することにより他方の摺動面と前記凸部側の前記未摺動面との隙間を設け、前記グリル皿が庫内に完全に収納される時には前記凸部が前記凹部に嵌まりこむことにより、前記隙間が摺動時に比べて狭くなるように構成されており、グリル室は、グリル室底面と分離しグリル室底面とは別材質で設けたグリル室底面分離部を備え、グリル室底面分離部が凹部を形成した構成としたものである。
【０００８】
これによって、グリル皿が引き出されている際には、グリル皿の未摺動面は、グリル室底面と隙間を設けているため、表面に傷がつくのを防止するとともに摩擦音を軽減し、グリル皿が収納されたときには凸部が他方の凹部に嵌り込むことにより、未摺動面と摺動面との隙間が摺動時に比べて狭くなることで、グリル皿はグリル室底面からの熱的接続を可能にし、熱伝達効率を高く保つことができるのである。よって、使用者にとって使い勝手のよい加熱調理器を提供できるのである。また、グリル室は、グリル室底面と分離しグリル室底面とは別材質で設けたグリル室底面分離部を備え、グリル室底面分離部が凹部を形成した構成としたことにより、グリル室底面の材質を結晶化ガラスとし、凹部を別材質で形成するため、凹部の成形がしやすく、結晶化ガラスの熱負荷を軽減することができる。よって、使用者にとって使い勝手のよい加熱調理器を提供できるのである。
【０００９】
また、本発明の加熱調理器は、調理物を収納するグリル室と、前記グリル室底面下方に配設された加熱手段と、前記グリル室底面上に載置し前記調理物を載置するグリル皿と、前記グリル室前面を覆うグリル扉と、を備え、前記グリル室底面は前記グリル室の前方から後方にかけて前方が低くなるグリル室底面傾斜面を形成し、前記グリル皿底面は前記グリル室底面と同様のグリル皿底面傾斜面を備え、前記グリル皿が引き出されている際に前記グリル室底面傾斜面と前記グリル皿底面傾斜面との隙間を設け、庫内に完全に収納される時には、前記隙間が摺動時に比べて狭くなる構成としたものである。
【００１０】
これによって、グリル皿が引き出されている際には、グリル皿傾斜面はグリル室底面傾斜面と隙間を設けているために、表面に傷がつくのを防止するととともに摩擦音を軽減し、グリル皿が収納されたときには、互いの傾斜面の隙間が狭くなり、効率的に熱伝達をすることができる。よって、使用者にとって使い勝手のよい加熱調理器を提供できるのである。
【発明の効果】
【００１１】
本発明の加熱調理器は、載置皿を出し入れする際には、載置皿底面と調理室底面に隙間を設けて、載置皿を完全に収納した際には、載置皿底面と調理室底面の隙間を狭くすることで、底面の表面塗装の傷つき及び耳障りな摩擦音を発生させず、加熱効率はそのままとすることができる。
【図面の簡単な説明】
【００１２】
【図１】本発明の実施の形態１における構成の斜視図
【図２】本発明の実施の形態１における構成の内部斜視図
【図３】本発明の実施の形態１における構成の内部断面図
【図４】本発明の実施の形態１における構成の断面図
【図５】本発明の実施の形態１における構成の断面図
【図６】本発明の実施の形態１における構成の上方矢視図
【図７】本発明の実施の形態１における構成の断面図
【図８】本発明の実施の形態１における構成の断面図
【図９】本発明の実施の形態１における構成の断面図
【図１０】本発明の実施の形態１における構成の断面図
【図１１】本発明の実施の形態２における構成の断面図
【図１２】本発明の実施の形態２における構成の断面図
【図１３】本発明の実施の形態２における構成の断面図
【図１４】本発明の実施の形態２における構成の断面図
【図１５】本発明の実施の形態３における構成の断面図
【図１６】本発明の実施の形態３における構成の断面図
【発明を実施するための形態】
【００１３】
第１の発明は、調理物を収納するグリル室と、前記グリル室底面下方に配設された加熱手段と、前記グリル室底面上に載置し前記調理物を載置するグリル皿と、前記グリル室前面を覆うグリル扉と、を備え、前記グリル皿底面の裏側及び前記グリル室底面の表側は前記グリル皿が引き出されている際に前記グリル皿と前記グリル室底面が摺動することができる摺動面及び摺動することができない未摺動面を有し、前記グリル皿底面の裏側または前記グリル室底面の表側のいずれか一方に前記摺動面が前記未摺動面に対して突出した凸部を有し、他方に前記摺動面より奥まったところに凹部を設けて、前記グリル皿が引き出されている際には前記凸部が他方の摺動面と接することにより前記他方の摺動面と前記凸部側の前記未摺動面との隙間を設け、前記グリル皿が庫内に完全に収納される時には前記凸部が前記凹部に嵌まりこむことにより、前記隙間が摺動時に比べて狭くなるように構成されており、グリル室は、グリル室底面と分離しグリル室底面とは別材質で設けたグリル室底面分離部を備え、グリル室底面分離部が凹部を形成した構成としたことにより、摺動時のグリル皿底面とグリル室底面の磨耗等を防止するとともに、耳障りな摩擦音を軽減し、なおかつグリル皿が庫内に収納されて調理する時にはグリル室底面とグリル皿底面との距離を狭くして、効率的に熱伝達をすることができる。よって、使用者にとって使い勝手のよい加熱調理器を提供できるのである。また、グリル室は、グリル室底面と分離しグリル室底面とは別材質で設けたグリル室底面分離部を備え、グリル室底面分離部が凹部を形成した構成としたことにより、グリル室底面の材質を結晶化ガラスとし、凹部を別材質で形成するため、凹部の成形がしやすく、結晶化ガラスの熱負荷を軽減することができる。よって、使用者にとって使い勝手のよい加熱調理器を提供できるのである。
【００１４】
第２の発明は、調理物を収納するグリル室と、前記グリル室底面下方に配設された加熱手段と、前記グリル室底面上に載置し前記調理物を載置するグリル皿と、前記グリル室前面を覆うグリル扉と、を備え、前記グリル室底面は前記グリル室の前方から後方にかけて前方が低くなるグリル室底面傾斜面を形成し、前記グリル皿底面は前記グリル室底面と同様のグリル皿底面傾斜面を備え、前記グリル皿が引き出されている際に前記グリル室底面傾斜面と前記グリル皿底面傾斜面との隙間を設け、庫内に完全に収納される時には、前記隙間が摺動時に比べて狭くなる構成としたことにより、摺動時のグリル皿底面とグリル室底面の磨耗等を防止するとともに、耳障りな摩擦音を軽減し、なおかつグリル皿が庫内に収納されて調理する時にはグリル室底面とグリル皿底面との距離を狭くして、効率的に熱伝達をすることができる。よって、使用者にとって使い勝手のよい加熱調理器を提供できるのである。
【００１５】
第３の発明は、特に、第２の発明において、グリル皿底面の裏側に一箇所以上の摺動部材を有し、前記グリル皿が引き出されている際には前記摺動部材がグリル室底面と接することが可能となり、グリル室底面傾斜面とグリル皿底面傾斜面との前記傾斜面同士の隙間を設けて、庫内に完全に収納される時には、前記隙間が摺動時に比べて狭くなることにより、グリル皿が摺動する際に傾いてグリル皿後方が傾斜面と接触する場合であっても、摺動部材がグリル室底面と接することにより、グリル皿底面の耐摩耗性を保つことができる。よって、使用者にとって使い勝手のよい加熱調理器を提供できるのである。
【００１６】
第４の発明は、特に、第３の発明において、グリル皿は、グリル皿保持部を有し、前記グリル皿保持部は前記グリル皿とグリル扉を締結することで、前記グリル皿はグリル庫内上下方向に保持部を支点として回動自在とする構成としたことにより、グリル皿が摺動する際にある回動範囲で傾くことが可能となり、摺動時に摺動部材をグリル室底面傾斜面に当てつつ、摺動させることが可能となり、さらには庫内に収納される際にグリル室手前側に傾けることで調理物からの油などを集めることが可能になり、清掃性がよくなる。よって、使用者にとって使い勝手のよい加熱調理器を提供できるのである。
【００１７】
第５の発明は、特に、第４の発明において、グリル皿の回動範囲は、前記グリル皿表面の略水平から所定の角度とする構成とすることにより、グリル皿上の調理物は落とすことなく、グリル皿底面に溜まった油分や炭化物などをグリル室前方の温度が低い場所に集めることができ、利便性が高まる。よって、使用者にとって使い勝手のよい加熱調理器を提供できるのである。
【００１８】
第６の発明は、特に、第５の発明において、グリル皿保持部は、グリル皿とグリル扉とを蝶番により保持してなる構成とすることにより、グリル皿の回動を蝶番部の回動によって構成することができるため、回動部の信頼性が高まる。よって、使用者にとって使い勝手のよい加熱調理器を提供できるのである。
【００１９】
第７の発明は、特に、第１または第３の発明において、凸部及び摺動部材は、グリル室底面を上方から見て前記グリル室底面下方の加熱手段より外側に配設される構成としたことにより、凸部および摺動部材は、ヒーター直上の熱伝達を受けることなく、摺動部材の熱負荷を軽減することができるため、部材の材料の耐熱性を考慮して、金属や樹脂などさまざまなパターンを選択することが可能となり、グリル皿との接触時の騒音値を軽減することが可能となる。よって、使用者にとって使い勝手のよい加熱調理器を提供できるのである。
【００２０】
第８の発明は、特に、第７の発明において、凸部及び摺動部材は、耐熱性を有する樹脂とする構成としたことにより、金属の場合に比べて、グリル室底面との摺動時のこすれ音を低減することができる。よって、使用者にとって使い勝手のよい加熱調理器を提供できるのである。
【００２１】
第９の発明は、特に、第８の発明において、凸部及び摺動部材は、フッ素系樹脂である構成としたことにより、耐熱性をもちつつ、摺動性を改善することができる。よって、使用者にとって使い勝手のよい加熱調理器を提供できるのである。
【００２２】
第１０の発明は、特に、第１の発明において、凸部の接触形状は曲率Ｒ１を有し、凹部は曲率Ｒ２を有し、Ｒ１＞Ｒ２の関係となる構成としたことにより、グリル皿を庫内に収納する際に、凸部は除々に凹部に嵌ることになり、そのためグリル皿が急激に下がることがなく、庫内収納時にグリル皿上部の調理物が衝撃により落ちる可能性が低くなる。さらには、凹部の曲率を凸部の曲率よりも小さくとっているために、調理物から出るくずや炭
化物がグリル室底面の凹部にたまったとしても、清掃性が容易となる。よって、使用者にとって使い勝手のよい加熱調理器を提供できるのである。
【００２３】
第１１の発明は、特に、第１の発明において、グリル室底面における凹部は、前記グリル室底面をロール成形して厚み一定において形成する構成としたことで、グリル室底面の材質を結晶化ガラスにすることができるため、摺動部材との摩擦において摩擦音を軽減することができる。さらには、ロール成形することで、ガラスの表面に凹部加工を切削などで施す場合に比べて、凹部の強度を保つことができる。よって、使い勝手のよい加熱調理器を提供できるのである。
【００２４】
第１２の発明は、特に、第１の発明において、グリル室底面分離部は、アルミダイキャストで構成したことにより、グリル室底面分離部は、熱伝導がよくグリル皿に熱を効率よく伝えることができ、調理性能が向上する。よって、使用者にとって使い勝手のよい加熱調理器を提供できるのである。
【００２５】
第１３の発明は、特に、第１の発明において、グリル室底面分離部は、ホーロー処理鋼板で構成したことにより、グリル室底面分離部は、耐摩耗性に優れ、グリル皿に熱を効率よく伝えることができ、調理性能が向上する。よって、使用者にとって使い勝手のよい加熱調理器を提供できるのである。
【００２６】
第１４の発明は、特に、第１の発明において、凹部よりグリル室前方にグリル底面に乗り越え凸部を設ける構成としたことにより、使用者がグリル皿を庫内に収納する際に、グリル皿凸部が乗り越え凸部と接触して乗り上げてから、凹部に嵌り込む。よって、使用者はグリル皿を収納できたかどうかやグリル皿の定位置を感触で知ることができる。よって、使用者にとって使い勝手のよい加熱調理器を提供できるのである。
【００２７】
以下、本発明の第１の実施の形態について図面を用いて説明する。なお、この実施の形態によって本発明が限定されるものではない。
【００２８】
（実施の形態１）
図１は、本発明の第１の実施の形態における加熱調理器である誘導加熱調理器の主要構成部品を示すものである。但し、実施の形態の説明に不要な構成部分については、主要構成であっても省略している。
【００２９】
誘導加熱調理器は、本体１の天面に被加熱調理器具（被加熱物）を載置するトッププレート２が配されている。トッププレート２は高耐熱のガラス等の電磁誘導によって加熱されない材質で構成されている。
【００３０】
トップフレーム３は、トッププレート２の外周を囲み本体の天面の一部もしくは殆ど全部を構成しており、トッププレート２を介して伝わる、被加熱物からの熱に十分耐え、且つ外観部品として見栄えのよく、腐食にも強いステンレスやホーロー処理鋼板等の金属から成っている。
【００３１】
さらに内部を、図２の本発明の第１の実施の形態における加熱調理器の構成の内部斜視図に示す。図２において、トップフレーム３に形成された天面操作部４の内部には、操作部ユニット等が配設されている。トッププレート２の下方には誘導加熱コイル５が近接して設けられている。誘導加熱コイル５はコイルケース６に収納され、本体１内の所定の位置に保持されている。誘導加熱コイル５には電源回路７によって高周波電力が供給されトッププレート２に載置された鍋を誘導加熱する。誘導加熱コイル５及び電源回路７は冷却ファン８の送風によって冷却される。
【００３２】
本体１内には略箱形状のグリル加熱室１０が配設されており、グリル加熱室１０内に、調理物を載せる焼き網機能と調理物から出る油などを受ける受け皿機能とを備えたグリル皿１１を収納している。また、グリル加熱室１０の開口部を覆うグリル扉１２がグリル皿１１に嵌着されており、グリル扉１２とグリル皿１１は連動して前後に摺動し、グリル使用時にはグリル扉１２が開口部を覆いグリル皿１１はグリル加熱室１０の内部に収納される。
【００３３】
ここで、本発明に第１の実施の形態におけるグリル加熱室１０の断面図を図３に示す。グリル加熱室１０は、グリル加熱室底面１３上に、グリル皿１１を載置し、グリル皿１１上に調理物１４が載置される。また、グリル加熱室底面１３下方には加熱手段下１５を設けており、加熱手段下１５の熱をグリル加熱室底面１３が受けて、その熱をグリル皿１１に伝えて、調理物１４に必要十分な熱量を加えて調理するのである。このようにすることで、従来の加熱手段が庫内にある場合に比べて、加熱手段に調理物や炭化物が付着して発火することなどがないため、グリル皿に十分な熱を加えることができる。さらには、グリル加熱室内の清掃時には、障害物となるものがないために清掃性を向上させることが可能となる。なお、調理物に十分な熱を上方から加えるために、グリル室上方にも加熱手段上１６があっても構わない。
【００３４】
次に、本発明における摺動時のグリル皿１１とグリル加熱室底面１３の位置関係について図４に示す。
【００３５】
グリル皿１１底面の裏側には、出し入れする際に摺動しないグリル皿未摺動面１７と、グリル皿摺動面１８を有している。グリル皿摺動面１８は、グリル皿未摺動面１７より突出しておりグリル皿凸部１９の一部となっている。
【００３６】
一方、グリル室底面１３表側にも、グリル皿１１と同じくグリル室底面摺動面２０とグリル室底面未摺動面２１を有しており、グリル室底面未摺動面２１はグリル室底面摺動面２０より奥まったところで形成されたグリル室底面凹部２２の一部である。
【００３７】
グリル皿１１はグリル庫内前方にあるグリル扉１２により保持されてグリル庫内を摺動する際、接触する部分は、グリル皿凸部１９のグリル皿摺動面１８とグリル室底面摺動面２０であり、グリル皿未摺動面１７は接触せずにグリル室底面摺動面２０と一定の摺動時隙間２３を設けている。この隙間は、グリル皿凸部１９によって設定することが可能であるので、グリル皿１１が調理時の熱負荷により経年変化する場合を見越しておいて突出部を設計することで、経時変化を起こしても接触しないようにできることはいうまでもない。また、十分な隙間を取ることで、グリル皿が傾いたりする場合であっても、接触しにくくすることが可能となる。このことにより、グリル皿１１のグリル皿未摺動面１７は一般的に表面処理を施してあるが、摺動時のグリル加熱室底面１３との摩擦により、表面処理層が傷つくことが少なくなり、グリル皿１１の耐摩耗性を改善することができる。
【００３８】
図５には、本発明におけるグリル皿１１を庫内に収納した際のグリル皿１１とグリル加熱室底面１３の位置関係について示す。
【００３９】
図４の状態からグリル庫内後方へ摺動したグリル皿１１のグリル皿凸部１９は、グリル室底面凹部２２の前方に差し掛かると次第にグリル室底面凹部２２のグリル室底面未摺動面２１近傍に嵌り込む。その結果、グリル皿未摺動面１７とグリル室底面摺動面２０の嵌着時隙間２４は、摺動時隙間２３に比べて狭くなる。嵌着時隙間２４は、グリル加熱室底面１３とグリル皿１１が面接触するように設定することも可能であるし、適当なクリアランスを設けておいて設計することも可能である。このことにより、グリル室底面下方の加
熱手段からの熱を受けたグリル室底面からの熱接続の効率を高めることができ、摺動時の耐摩耗性と調理性能を兼ね備えた加熱調理器を提供できるである。
【００４０】
図６に、摺動部となるグリル皿凸部１９およびグリル室底面凹部２２の配置位置を示す。図６は、グリル庫内を上方から見た矢視図であるが、グリル皿凸部１９および相対する凹部は、複数の加熱手段下１５よりも加熱手段外側２６に配置されている。そして、収納時にグリル皿凸部１９は、凸部配置位置２５に配置される。このことにより、加熱手段下１５からの熱伝達による影響を少なくすることが可能となり、凸部の部材を金属のように耐熱性の高いものから、樹脂のように一般的に耐熱性の低いものまで採用可能とすることができる。金属ではなく樹脂を使用することで、一般的にグリル室底面との摩擦音が軽減できることはいうまでもない。また、凸形状の製造に関しても、樹脂部品であれば、設計が容易となり、安価に作成することができる。フッ素樹脂を用いることで耐摩擦性を向上させることができることはいうまでもない。
【００４１】
このことにより、凸部によるグリル加熱室底面１３への機械的摩擦を低減することができ、摺動時の摩擦音の低減と調理性能を兼ね備える加熱調理器を提供でき、使用者にとって利便性が高まるのである。
【００４２】
図７に、グリル皿凸部１９の曲率がＲ１として、グリル室底面凹部２２の曲率をＲ２とすると、本発明では、Ｒ１＞Ｒ２の関係となっていることを示す。
【００４３】
このことにより、グリル皿凸部１９は、除々にグリル室底面凹部２２に嵌るため、グリル皿１１が急激に下がることがなく、グリル皿１１がグリル室に収納される際にグリル皿１１上部の調理物が衝撃により落ちる可能性が低くなる。さらには、Ｒ１＞Ｒ２の関係により、調理物から出るくずや炭化物がグリル室底面凹部２２に溜まったとしても、凹部の角が立っている場合に比べて清掃が容易となる。よって、使用者にとって使い勝手のよい加熱調理器を提供できるのである。
【００４４】
図８には、グリル加熱室底面１３を一体で形成した場合を示す。グリル加熱室底面１３は、結晶化ガラスを採用することで、底面の熱を効率的にグリル皿１１に伝えることが可能であるし、強度的にも問題ないが、本発明のように凹部加工を施すことで、ガラスの強度が落ちてしまいかねない。本発明では、ロール成形により凹部を形成することにより、厚みを一定で凹部を形成できる。その結果、ガラスの強度を保つことができ、摺動性の改善と摩擦音の低減およびグリル皿収納時の調理性能を兼ね備え、かつグリル室内の清掃性を保つことができるのである。
【００４５】
図９には、グリル加熱室底面１３を分離し、グリル加熱室底面１３とは別材質で設けたグリル室底面分離部２７を備え、グリル室底面分離部２７が凹部２８を形成した構成を示す。
【００４６】
このことによって、グリル加熱室底面１３を結晶化ガラスなどで形成し、グリル室底面分離部２７は金属などで形成し、凹部２８の成形性が容易となるため、清掃性能を改善しやすくなるとともに、凹部の結晶化ガラス部の熱負荷を低減することが可能となる。このことにより、使い勝手のよい加熱調理器を提供できるのである。グリル室底面分離部２７はアルミダイキャストで構成することで、グリル皿１１への熱伝導をよくすることができる。また、グリル室底面分離部２７は、アルミダイキャストに替えてホーロー処理鋼板で構成することで、耐摩耗性に優れ、熱伝導率をよくすることができる。
【００４７】
図１０には、凹部近傍で乗り越え凸部２９があることを示す。このことにより、使用者がグリル皿を収納する際の位置が明確になり、収納したかどうかを判断するクリック感を
得ることができ、より使い勝手のよい加熱調理器を提供できるのである。
【００４８】
（実施の形態２）
図１１には、本発明の実施の形態２を示す。グリル加熱室底面１３は一定の傾斜角度を有するグリル室底面傾斜面３０を有しており、それに相対するグリル皿１１のグリル皿底面３２は、同様の角度を有するグリル皿底面傾斜面３１を有している。グリル皿１１は、グリル室前方で保持されたグリル扉１２によりグリル室後方へ摺動される。その際、お互いの傾斜面は傾斜面隙間３３を設けており触れることがなく、庫内後方に摺動されるに連れて、傾斜面隙間３３が狭くなっていく。最終的には、グリル皿１１を収納した時点で、傾斜面同士が接触することができる。
【００４９】
このことにより、グリル皿底面３２とグリル加熱室底面１３の耐摩耗性が改善されるとともに、摺動時に接触による摩擦音も発生しない構成となる。さらに、収納された際には傾斜面同士が熱接続されることにより、熱伝達の効率を保つことが可能となる。このことにより、使い勝手のよい加熱調理器を提供できるのである。
【００５０】
図１２には、グリル皿底面の後方に摺動部材３４を配置した状態を示す。その際には、摺動途中でグリル皿１１が何らかの事情によりグリル皿後方を下方にして傾いた場合に、摺動部材３４がグリル加熱室底面１３と接触し、摺動部材３４を樹脂などで形成しておけば、摩擦音やグリル皿底面を傷つけることなく摺動が可能となる。このことにより、使用者にとって使い勝手のよい加熱調理器を提供できるのである。
【００５１】
図１３には、グリル皿１１がグリル皿保持部３６に支持されて、回動範囲３７を回動する状態を示す。グリル皿は、グリル皿保持部３６により固定されており、回動する。そのことによって、グリル皿が摺動する際にある回動範囲で傾くことが可能となり、摺動時に摺動部材をグリル室底面傾斜面に当てつつ、摺動させることが可能となり、さらには庫内に収納される際にグリル室手前側に傾けることで調理物からの油などを集めることが可能になり、清掃性がよくなる。よって、使用者にとって使い勝手のよい加熱調理器を提供できるのである。
【００５２】
なお、グリル皿保持部３６としては、図１４に示すように、グリル皿１１の一部をグリル皿アーム嵌合部３９としてグリル扉１２に取り付けられたグリル皿保持アーム３８に着脱自在に差し込む方法であってもよいし（３６部詳細（１））、グリル皿１１にグリル扉締結部４０を設けて、グリル扉１２と直接嵌合させてもよいし（３６部詳細（２））、グリル扉１２とグリル皿１１にグリル扉蝶番部４１を設けて回動させてもよい。これによって、回動の信頼性を向上させることが可能となり、使用者にとって使い勝手のよい加熱調理器を提供できるのである。
【００５３】
また、グリル扉蝶番部４１などを用いて回動の範囲を所定の角度とすることで、グリル皿上の調理物は落とすことなく、グリル皿底面に溜まった油分や炭化物などをグリル室前方の温度が低い場所に集めることができ、清掃性が高まる。よって、使用者にとって使い勝手のよい加熱調理器を提供できるのである。
【００５４】
（実施の形態３）
図１５には、本発明の実施の形態３を示す。実施の形態３は、実施の形態１に対して、凹凸部を他方に載置した場合であり、発揮できる作用効果は実施の形態１と同様である。この場合、グリル皿は、グリル皿摺動面１８を複数備え、グリル室底面もグリル室底面凸部３５を複数備えて、摺動面も同様に複数備えることとなる。摺動時隙間２３が保持されて、未摺動面同士の耐摩耗性が向上する。
【００５５】
図１６には、嵌着時を示す。嵌着時には、それぞれの凹凸部の隙間が狭くなり、下方からの熱接続を可能とし、加熱手段の配設を変更することで更なる調理性能向上が可能となる。グリル室底面凸部３５を樹脂で成形することで摩擦音を低減できることはいうまでのないし、形状を実施の形態２のように曲率を持たせることで清掃性、クリック感向上を果たすことができることは同様にして可能である。
【００５６】
このようにして、摩擦音やグリル皿底面を傷つけることなく摺動が可能であり、使用者にとって使い勝手のよい加熱調理器を提供できるのである。
【産業上の利用可能性】
【００５７】
以上のように、本発明にかかる加熱調理器は、安全で使い勝手の良い加熱調理器であり、システムキッチンなどに組み込まれて使用されるその他の機器についても適用できるものである。また、組込式以外のものについても適用できるものである。
【符号の説明】
【００５８】
１  本体
２  トッププレート
３  トップフレーム
４  天面操作部
５  誘導加熱コイル
６  コイルケース
７  電源回路
８  冷却ファン
９  操作部ユニット
１０  グリル加熱室
１１  グリル皿
１２  グリル扉
１３  グリル加熱室底面（グリル室底面）
１４  調理物
１５  加熱手段下
１６  加熱手段上
１７  グリル皿未摺動面
１８  グリル皿摺動面
１９  グリル皿凸部
２０  グリル室底面摺動面
２１  グリル室底面未摺動面
２２  グリル室底面凹部
２３  摺動時隙間
２４  嵌着時隙間
２５  凸部配置位置
２６  加熱手段外側
２７  グリル室底面分離部
２８  凹部
２９  乗り越え凸部
３０  グリル室底面傾斜面
３１  グリル皿底面傾斜面
３２  グリル皿底面
３３  傾斜面隙間
３４  摺動部材
３５  グリル室底面凸部
３６  グリル皿保持部
３７  回動範囲
３８  グリル皿保持アーム
３９  グリル皿アーム嵌合部
４０  グリル扉締結部
４１  グリル扉蝶番部
【図１】
0005861027.tif 000002
【図２】
0005861027.tif 000003
【図３】
0005861027.tif 000004
【図４】
0005861027.tif 000005
【図５】
0005861027.tif 000006
【図６】
0005861027.tif 000007
【図７】
0005861027.tif 000008
【図８】
0005861027.tif 000009
【図９】
0005861027.tif 000010
【図１０】
0005861027.tif 000011
【図１１】
0005861027.tif 000012
【図１２】
0005861027.tif 000013
【図１３】
0005861027.tif 000014
【図１４】
0005861027.tif 000015
【図１５】
0005861027.tif 000016
【図１６】
0005861027.tif 000017